(57)【要約】【課題】弾器機能を備えた弾器付コネクタを提供することを目的とする。【解決手段】コネクタ嵌合部に嵌合させ、ケーブルが接続された弾器付コネクタであって、前記コネクタ嵌合部に接続される第１の端子と、前記ケーブルに接続される第２の端子と、前記第１の端子及び前記第２の端子の間に設けられ、前記第１の端子及び前記第２の端子の間の接続／非接続の切り替え、又は信号の取り出しを行うための接触部とを有する試験弾器ユニットを備えることにより、上記課題を解決する。【選択図】        図２
2005019012.tif 000002
【特許請求の範囲】
【請求項１】
コネクタ嵌合部に嵌合させ、ケーブルが接続された弾器付コネクタであって、
前記コネクタ嵌合部に接続される第１の端子と、
前記ケーブルに接続される第２の端子と、
前記第１の端子及び前記第２の端子の間に設けられ、前記第１の端子及び前記第２の端子の間の接続／非接続の切り替え、又は信号の取り出しを行うための接触部とを有する試験弾器ユニットを備えることを特徴とする弾器付コネクタ。
【請求項２】
前記試験弾器ユニットは、
通信機器用端子板に設けられるコネクタ嵌合部と嵌合することを特徴とする請求項１に記載の弾器付コネクタ。
【請求項３】
前記試験弾器ユニットは、
前記第１の端子と前記第２の端子とが接触している接触部分に対して外部から試験プラグ又は断線ペグを挿入するためのプラグ挿入穴が形成されたハウジングを有し、
前記プラグ挿入穴に試験プラグ又は断線ペグを挿入することにより、前記第１の端子と前記第２の端子とを非接触状態とすることを特徴とする請求項１に記載の弾器付コネクタ。
【請求項４】
嵌合方向に対して位置をずらして階段状に並設される前記コネクタ嵌合部の各々に嵌め合わせるよう形成されることを特徴とする請求項３に記載の弾器付コネクタ。
【請求項５】
嵌合方向に対して位置をずらして階段状に並設される前記コネクタ嵌合部の全てに対応付けて嵌め合わせるよう形成されることを特徴とする請求項３に記載の弾器付コネクタ。
【発明の詳細な説明】
【０００１】
【発明の属する技術分野】
本発明は、弾器付コネクタに係り、特に試験弾器ユニットを備えた弾器付コネクタに関する。
【０００２】
【従来の技術】
従来、電話やコンピュータ等、通信機能を有する機器同士の通信回線（電線）を中継、又は分岐するための機器として端子板や保安器が用いられている。特に、電話局等においては膨大な数の回線や端子を管理する必要があるため、加入者ケーブルを交換機に直接接続せずに、各々端子板に収容し、その端子板間はジャンパー線で結線している。また、交換機と端子板は、ケーブルを用いて着脱容易なコネクタ結線となっている（例えば、特許文献１参照。）。
【０００３】
また、近年では、ＡＤＳＬ（Ａｓｙｍｍｅｔｒｉｃ  Ｄｉｇｉｔａｌ  Ｓｕｂｓｃｒｉｂｅｒ  Ｌｉｎｅ）網が普及しているが、ＡＤＳＬ網における通信においては、試験弾器を端子板（保安器）に有する必要がなく弾器機能を取り除くことで、端子板（保安器）のコストダウンと小型化、高密度化を図っている。
【０００４】
ここで、試験弾器ユニットを備えていない端子板における交換機の通信回線（ケーブル）との通線例について図を用いて説明する。
【０００５】
図１は、端子板（保安器）とコネクタとの嵌合動作を説明するための斜視図である。図１の端子板１０は、プリント配線板１１と、入回線接続用端子して用いられる１列１６個のＵスリット端子が図１において上下に配列されている計３２個のＵスリット端子を備えたＵスリットハウジング１２と、フレーム１３−１，１３−２と、通線口ユニット１４と、Ｕスリットハウジング１２にあるＵスリット端子毎に設けられた半導体保安素子１５と、Ｕスリット端子に対応して電気的に接続されているコンタクトピンを保持し、交換機側のコネクタと嵌合される雄コンタクトハウジング１６−１，１６−２と、雄コンタクトハウジング１６−１，１６−２に各々接続されるケーブル付コネクタ１７−１，１７−２とを有するよう構成されている。なお、ケーブル付コネクタ１７−１，１７−２の各々に対応した交換機側からのケーブル１８−１，１８−２が設けられており、コンタクトピンに対応した雌コネクタとケーブル１８−１，１８−２内の信号線とが電気的に接続されている。
【０００６】
半導体保安素子１５は、通信回線から侵入してくる過電圧が交換機側の通信機器に侵入することを防止するための素子であり、例えば、双方向性ｐｎｐｎサージ防護デバイス、アバランシェダイオード、酸化亜鉛バリスタ等にて構成される。また、端子板１０は、１６回線分の通信回線に対応させるために２つの雄コンタクトハウジング１６−１，１６−２を用いており、雄コンタクトハウジング１６−１，１６−２は、ケーブル付コネクタ１７−１，１７−２の各々のケーブルが同一方向に配線された場合においてケーブル１８−１，１８−２が邪魔になり交換機側コネクタ１６とケーブル付コネクタ１７とが嵌合できないことがないよう嵌合方向に対して所定間隔だけ位置をずらし、嵌合面が階段状になるよう並設されているため、ケーブル付コネクタ１７の着脱を容易に行うことができる。
【０００７】
なお、雄コンタクトハウジング１６にケーブル付コネクタ１７を取り付ける場合、雄コンタクトハウジング１６に有するコンタクトピン（凸部）と、ケーブル付コネクタ１７との雌コネクタハウジング（凹部）とを嵌合させる。
【０００８】
また、プリント配線板１１は、図１に示す端子板１０において上下２枚有し、１枚が１列１６個のＵスリット端子に半田付けされて電気的に接続されている。通線口ユニット１４は、２枚のプリント配線板１１の間に挟み込まれた状態で取り付けられている。
【０００９】
端子板１０は、上述したプリント基板１１、雄コンタクトハウジング１６、Ｕスリットハウジング１２、及び通線口ユニット１４がフレーム１３−１，１３−２により保持され形成されている。
【００１０】
端子板１０を用いることにより、通信回線であるジャンパ線と交換機側のケーブル１８−１，１８−２との中継を容易に行うことができ、また、収容回線数における小型化、高密度化も実現できる。
【００１１】
【特許文献１】
特開昭５９−２３０２７１号公報
【００１２】
【発明が解決しようとする課題】
しかしながら、障害等で回線テストを必要とする場合や耐用年数を経過した交換機の更改を行う場合は弾器機能が必要となるが、ＡＤＳＬ網においては弾器機能を必要としなかったため、端子板に弾器機能が設けられてない場合があり、上述した作業に支障をきたす。
【００１３】
本発明は、上述した問題点に鑑みなされたものであり、容易に試験弾器ユニットを具備させるための弾器付コネクタを提供することを目的とする。
【００１４】
【課題を解決するための手段】
上記課題を解決するために、本件発明は、以下の特徴を有する課題を解決するための手段を採用している。
【００１５】
請求項１に記載された発明は、コネクタ嵌合部に嵌合させ、ケーブルが接続された弾器付コネクタであって、前記コネクタ嵌合部に接続される第１の端子と、前記ケーブルに接続される第２の端子と、前記第１の端子及び前記第２の端子の間に設けられ、前記第１の端子及び前記第２の端子の間の接続／非接続の切り替え、又は信号の取り出しを行うための接触部とを有する試験弾器ユニットを備えることを特徴とする。
【００１６】
請求項１記載の発明によれば、コネクタ側に試験弾器を設けることにより、試験弾器がない機器において、容易に弾器機能を付加させることができる。また、試験弾器を有する機器にも使用できるため、上述の２種類の機器を使い分ける必要もなく、また必要に応じて弾器機能の要否に対応でき、部品の共用化、コストダウン、弾器機能の取り付け工事の簡略化が実現できる。
【００１７】
請求項２に記載された発明は、前記試験弾器ユニットは、通信機器用端子板に設けられるコネクタ嵌合部と嵌合することを特徴とする。
【００１８】
請求項２記載の発明によれば、コネクタ側に試験弾器を設けることにより、試験弾器がない端子板において、容易に弾器機能を付加させることができる。また、試験弾器を有する端子板にも使用できるため、上述の２種類の端子板を使い分ける必要もなく、また必要に応じて弾器機能の要否に対応でき、部品の共用化、コストダウン、弾器機能の取り付け工事の簡略化が実現できる。
【００１９】
請求項３に記載された発明は、前記試験弾器ユニットは、前記第１の端子と前記第２の端子とが接触している接触部分に対して外部から試験プラグ又は断線ペグを挿入するためのプラグ挿入穴が形成されたハウジングを有し、前記プラグ挿入穴に試験プラグ又は断線ペグを挿入することにより、前記第１の端子と前記第２の端子とを非接触状態とすることを特徴とする。
【００２０】
請求項３記載の発明によれば、ハウジングに試験プラグや断線ペグを挿入することができる挿入穴を設け、ハウジングの内部にある接触している２つのピン（第１の端子（接触片）と第２の端子（圧接片））を試験プラグや断線ペグを挿入穴から挿入することにより、ハウジング内の接触片と圧接片とが非接触状態となり、回線の断線を行うことができる。これにより、容易に弾器試験を行うことができる。
【００２１】
請求項４に記載された発明は、嵌合方向に対して位置をずらして階段状に並設される前記コネクタ嵌合部の各々に嵌め合わせるよう形成されることを特徴とする。
【００２２】
請求項４記載の発明によれば、機器における嵌合面が階段状になるよう並設されている雄コンタクトハウジングの形状に対して各々の嵌合面に嵌合させることができるコネクタを形成することにより、コネクタの取り付け作業を容易に行うことができ、更改時の作業を簡略化することができる。
【００２３】
請求項５に記載された発明は、嵌合方向に対して位置をずらして階段状に並設される前記コネクタ嵌合部の全てに対応付けて嵌め合わせるよう形成されることを特徴とする。
【００２４】
請求項５記載の発明によれば、機器における嵌合面が階段状になるよう並設されている雄コンタクトハウジングの形状に対応させた一体型のコネクタを形成することにより、コネクタの取り付け作業を更に容易に行うことができ、更改時の作業を簡略化することができる。
【００２５】
【発明の実施の形態】
本発明は、コネクタ側に試験弾器を設けることにより、試験弾器がない機器において、容易に弾器機能を付加させることができる弾器付コネクタを提供する。更に、試験弾器を有する機器においても本発明の弾器付コネクタを使用することができるため、上述の２種類の機器を使い分ける必要もなく、必要に応じて弾器機能の要否に対応でき、部品の共用化、コストダウン、弾器機能の取り付け工事の簡略化が実現できる。なお、以下に説明する実施の形態では、機器の一例として端子板を用いるが、本発明においてはこの限りではなく、保安器等であってもよい。
【００２６】
＜第１の実施形態＞
次に、本発明における実施の形態について図を用いて説明する。図２は、本発明における弾器付コネクタの第１の実施形態を示す一例の外観図である。
【００２７】
図２の弾器付コネクタ２０は、ハウジング２１と、ハウジング２１の少なくとも１面に設けられるプラグ挿入穴２２と、端子板側のコネクタと凹凸部で嵌合させる嵌合コネクタ部２３と、交換機側等、外部からのケーブル２４とを有するよう構成されている。なお、ハウジング２１の内部には、接触片と圧接片からなる２つのピンからなり、通常は、２つのピンが接触しているため、電気信号を導通させることができるが、例えば、試験プラグ２５をプラグ挿入穴２２に挿入することにより、ハウジング内の接触片（第１の端子）と圧接片（第２の端子）とが非接触状態となり、回線を断線させることができる。
【００２８】
ここで、プラグ挿入穴２２に挿入させるものは、試験プラグに限らず、例えば、断線ペグ２６−１，２６−２を用いることもできる。なお、断線ペグ２６−２に示すように複数のプラグ挿入穴２２に挿入可能な断線ペグを用いることもできる。
【００２９】
また、図２に示すようにプラグ挿入穴２２は、ハウジング２１のどの面に構成させてもよいが、嵌合コネクタ部２３により端子板に嵌合された状態で、容易に試験プラグ等を挿入することができるよう嵌合コネクタ部２３の対面に構成されることが好ましい。
【００３０】
また、プラグ挿入穴２２が複数構成される場合は、各々の穴に対して記号（図２では、Ａ，Ｂ，０〜７）を付与し、プラグ挿入穴２２の識別を行っている。
【００３１】
次に、弾器付コネクタ２０におけるハウジング２１の内部の構成について図を用いて説明する。図３は、図２に示す弾器付コネクタ２０の分解斜視図の一例を示すものである。図３に示す弾器付コネクタ２０は、ハウジング２１と、プラグ挿入穴２２と、嵌合コネクタ部２３と、ケーブル２４と、嵌合コネクタ部２３の内部に位置付けられる端子板のコンタクトピンと嵌合するための雌コネクタハウジング３０と、雌コネクタハウジング３０上に形成されるケーブル２４内の信号線を圧接片３２に取り付けるための圧接板３１と、雌コネクタハウジング３０上に形成される圧接片３２と、１つの圧接片３２と接触する接触片３３と、ケーブル２４内の信号線を纏めるコードストッパ３４と、ハウジングのカバー３５とを有するよう構成されている。
【００３２】
図３に示すように、圧接片３２と接触片３３とは一対で構成され、圧接片３２は接触片３３側に圧力が付加されるよう付設され、接触片３３にある突起部３６にて接触している。なお、一対の圧接片３２及び接触片３３は、プラグ挿入穴２２に基づいて位置付けされており、プラグ挿入穴２２から挿入される試験プラグ２５等の先端が圧接片３２と接触片３３との間に挿入され易くするため、先端部分が対の片に対して外側に形成されている。
【００３３】
また、接触片３３は、雌コネクタハウジング３０まで延びており、端子板のコンタクトピンと接触できるように形成され、圧接片３２はケーブル２４と接続できるよう形成されている。つまり、信号線は、各々の少なくとも１つの圧接片３２と接続されており、信号線の束はコードストッパ３４にて纏められている。
【００３４】
また、上述の圧接板３１、圧接片３２、接触片３３、コードストッパ３４、及び雌コネクタハウジング３０は、ハウジング２１とカバー３５により覆われており、カバー３５は、カバー３５に形成された係止部３７をハウジング２１に形成された突出部３８に嵌合させることで係止させることができる。
【００３５】
次に、弾器付コネクタによる断線の様子について図を用いて説明する。図４は、第１の実施形態における弾器付コネクタの側断面図の一例を示す図である。なお、図４（ａ）は、接触時の様子を示す図であり、図４（ｂ）は、非接触時の様子を示す図である。
【００３６】
図４（ａ）に示すように、試験プラグ２５や断線ペグ２６が挿入されていない場合は、圧接片３２と接触片３３とが、突起部３６にて接触された状態になっており、電気信号の導通を可能にしている。
【００３７】
ここで、上述したように、圧接片３２は、外部からのケーブルの信号線との接続が行われており、接触片３３は、雌コネクタハウジング３０まで延びており、端子板のコンタクトピンとの嵌合接続を行う。
【００３８】
一方、図４（ｂ）に示すように、プラグ挿入穴２２に断線ペグ２６が挿入された状態では、断線ペグ突起部４１が圧接片３２と接触片３３との間に挿入され、突起部３６が圧接片３２から離れるため非接触状態となる。
【００３９】
このように、コネクタにおいて弾器機能を具備することができ、端子板に弾器ユニットを有しているか否かに関わらず、弾器テストを容易に行うことができる。
【００４０】
＜第２の実施形態＞
次に、本発明における第２の実施形態として、プラグ挿入穴の替わりに電気信号の導通、非導通を切り替えるための切替部を弾器付コネクタに具備する例について図を用いて説明する。図５は、本発明における弾器付コネクタの第２の実施形態を示す一例の外観図である。
【００４１】
図５の弾器付コネクタ５０は、ハウジング５１と、ハウジング５１の少なくとも１面に設けられスライド部に形成されるスライドノブ５２と、スライドノブ５２が移動範囲を制限するためのスライドノブ移動用開口部５３と、嵌合コネクタ部２３と、ケーブル２４とを有するよう構成されている。
【００４２】
図５に示す「ＯＮ」と記載されている位置にスライドノブ５２を位置付けることにより、圧接片と接触片とが接続部を介して電気的に導通状態となる。また、「ＯＦＦ」側にスライドノブ５２を位置付けることにより、圧接片と接触片とを非導通状態にする。
【００４３】
ここで、スライドノブ５２をノブ移動用開口部５３に対して図５に示す矢印方向へ移動させることにより、電気的な接続のＯＮ／ＯＦＦを容易に切り替えることができる。なお、スライドノブ５２が形成されているスライド部には、電気的に導通可能な、ばね状の電気的に導通可能な材質からなる接続部を設け圧接片と接触片とにおける接触／非接触を行う。
【００４４】
ここで、断線の様子について図を用いて具体的に説明する。図６は、第２の実施形態における弾器付コネクタの側断面図の一例を示す図である。なお、図６（ａ）は、接続時の様子を示す図であり、図６（ｂ）は、非接続時の様子を示す図である。ここで、圧接片６１は、外部からのケーブルの信号線との電気的な接続が行われており、接触片６２は、雌コネクタハウジング６３まで延びており、端子板のコンタクトピンとの嵌合により電気的に接続される。また、スライド部６４の上部には、上述したスライドノブ５２と、圧接片６１及び接触片６２との接触／非接触を行うための、圧接片６１及び接触片６２の位置に対応して形成された接続部６５とを有している。
【００４５】
上述したように、スライドノブ５２が「ＯＮ」側に位置付けられた場合は、図６（ａ）に示すように、圧接片６１と接触片６２とが、接続部６５を介して接触された状態になっており、圧接片６１及び接触片６２との電気信号の導通を可能にしている。なお、接触片６２には、上述の第１の実施形態で示すような突起部は形成されていない。
【００４６】
また、スライドノブ５２が「ＯＦＦ」側の位置付けられた場合は、図６（ｂ）に示すように接続部６５が圧接片６１と接触片６２とに接触していないため、非導通状態となる。
【００４７】
これにより、容易に弾器ユニットを具備することができ、第１の実施形態で示したように断線させるために試験プラグや断線ペグを有することなく、簡便に回線の断線を実現することができる。
【００４８】
なお、上述の第１の実施形態及び第２の実施形態は、組合せて使用することもでき、嵌合される端子板への接続状況に対応して弾器付コネクタを形成させることができる。
【００４９】
＜応用例＞
ここで、上述の実施の形態では図１に示したように、端子板における嵌合面が階段状に並設されている雄コンタクトハウジング１６−１，１６−２については、２つの弾器付コネクタにより対応させることができるが、本発明の応用例として、雄コンタクトハウジング１６−１，１６−２に同時に接続できるような弾器付コネクタを形成する。
【００５０】
ここで、上述の内容について図を用いて説明する。図７は、本発明における弾器付コネクタの応用例を示す一例の外観図である。なお、図７は、第１の実施形態におけるプラグ挿入穴を有するものであるが、第２の実施形態に示すように切替部を有するものでもよく、また、プラグ挿入穴と切替部を両方有する構成にしてもよい。
【００５１】
図７の弾器付コネクタ７０は、ハウジング７１に２ヶ所のプラグ挿入領域７２−１，７２−２を有している。また、各々に形成されるプラグ挿入穴を識別するために０〜１５の番号及びＡ，Ｂのアルファベットからなる識別記号が付与されている。
【００５２】
また、弾器付コネクタ７０は、端子板側の雄コンタクトハウジングと嵌合させるためにプラグ挿入領域７２−１，７２−２に対応している嵌合コネクタ部７３−１，７３−２と、プラグ挿入領域７２−１，７２−２の挿入穴に対応して内部に構成されている圧接片と接続される信号線を有するケーブル７４−１，７４−２とを有する。
【００５３】
図７に示すように、形成された弾器付コネクタ７０を用いることにより、図１に示すような端子板において、弾器付コネクタの取り付け作業を容易に行うことができる。
【００５４】
上述したように本発明によれば、コネクタ側に試験弾器を設けることにより、試験弾器がない機器において、容易に弾器機能を付加させることができる。また、試験弾器を有する機器にも使用できるため、上述の２種類の機器を使い分ける必要もなく、また必要に応じて弾器機能の要否に対応でき、部品の共用化、コストダウン、弾器機能の取り付け工事の簡略化が実現できる。
【００５５】
なお、第１の実施形態における弾器付コネクタには、ハウジングに試験プラグや断線ペグを挿入することができる挿入穴を設け、ハウジングの内部にある接触している２つのピン（接触片と圧接片）を試験プラグや断線ペグを挿入穴から挿入することにより、ハウジング内の接触片と圧接片とが非接触状態となり、回線の断線を行うことができる。このように、コネクタに弾器ユニットを形成することができ容易に弾器試験を行うことができる。
【００５６】
また、第２の実施形態における弾器付コネクタには、ハウジングの内部にある接触している２つのピン（接触片と圧接片）の導通、非導通を切り替えるためのスイッチ部を設け、スイッチのＯＮ／ＯＦＦをスライドノブの移動により切り替えることで、接触片と圧接片との接触、非接触を容易に行うことができる。また、回線を断線させるために断線ペグを用いることなく、スイッチ構成にて容易に断線を実現することができる。
【００５７】
更に応用例として、端子板（機器）における嵌合面が階段状になるよう並設されている雄コンタクトハウジングの形状に対応させた一体型のコネクタを形成することにより、コネクタの取り付け作業を容易に行うことができ、更改時の作業を簡略化することができる。また、端子板に容易に弾器ユニットを具備させることができる。
【００５８】
以上本発明の好ましい実施例について詳述したが、本発明は係る特定の実施形態に限定されるものではなく、特許請求の範囲に記載された本発明の要旨の範囲内において、種々の変形、変更が可能である。
【００５９】
【発明の効果】
上述の如く本発明によれば、弾器機能を備えた弾器付コネクタを提供することができる。
【図面の簡単な説明】
【図１】端子板とコネクタとの嵌合動作を説明するための斜視図である。
【図２】本発明における弾器付コネクタの第１の実施形態を示す一例の外観図である。
【図３】図２に示す弾器付コネクタの分解斜視図の一例を示すものである。
【図４】第１の実施形態における弾器付コネクタの側断面図の一例を示す図である。
【図５】本発明における弾器付コネクタの第２の実施形態を示す一例の外観図である。
【図６】第２の実施形態における弾器付コネクタの側断面図の一例を示す図である。
【図７】本発明における弾器付コネクタの応用例を示す一例の外観図である。
【符号の説明】
１０  端子板
１１  プリント配線板
１２  Ｕスリットハウジング
１３  フレーム
１４  通線口ユニット
１５  半導体保安素子
１６  雄コンタクトハウジング
１７  ケーブル付コネクタ
１８，２４，７４  ケーブル
２０，５０，７０  弾器付コネクタ
２１，５１，７１  ハウジング
２２  プラグ挿入穴
２３，７３  嵌合コネクタ部
２５  試験プラグ
２６  断線ペグ
３０，６３  雌コネクタハウジング
３１  圧接板
３２，６１  圧接片
３３，６２  接触片
３４  コードストッパ
３５  カバー
３６  突起部
３７  係止部
３８  突出部
４１  断線ペグ突起部
５２  スライドノブ
５３  スライドノブ移動用開口部
６４  スライド部
６５  接続部
７２  プラグ挿入領域
【図１】
2005019012.tif 000003
【図２】
2005019012.tif 000004
【図３】
2005019012.tif 000005
【図４】
2005019012.tif 000006
【図５】
2005019012.tif 000007
【図６】
2005019012.tif 000008
【図７】
2005019012.tif 000009